(57)【要約】      （修正有）【課題】出入開口の見栄えを向上させながらも施工性を向上し得る建具施工方法を提供する。【解決手段】上枠１０と両側の縦枠とを有した建具用枠１を建物の開口部２に固定し、該建具用枠に建具３６を建て付ける建具施工方法であって、前記上枠が固定される前記開口部の天面３を、天井パネル４１によって構成される天井面６よりも上側に位置するように設け、前記建具用枠を、前記開口部内に嵌め込み固定し、前記上枠の下面側に設けられた凹溝１３に、上レール１４の上側部位を嵌め込み固定し、該上レールの見込み方向両側の前記天井パネルを、該上レールの下側部位の見込み方向両側にそれぞれの端面が突き合わせられるように前記上枠が固定される前記開口部の天面よりも下面が下方側に位置された天井下地に固定して前記建具用枠の前記上枠を前記天井パネルによって覆い、前記天井面近傍に至る上下寸法とされた前記建具を建て付ける。【選択図】図１
2020169556.tif 000002
【特許請求の範囲】
【請求項１】
上枠と両側の縦枠とを有した建具用枠を建物の開口部に固定し、該建具用枠に建具を建て付ける建具施工方法であって、
前記上枠が固定される上枠下地によって構成される前記開口部の天面を、天井パネルによって構成される天井面よりも上側に位置するように設け、前記上枠の長手方向両端に前記両側の縦枠をそれぞれ接合して三方枠状に枠組み一体化した前記建具用枠を、前記開口部内に嵌め込み固定し、前記開口部内に嵌め込み固定された前記建具用枠の前記上枠の下面側に設けられた凹溝に、前記建具の上端部を保持する上レールの上側部位を嵌め込み固定し、該上レールの見込み方向両側の前記天井パネルを、該上レールの下側部位の見込み方向両側にそれぞれの端面が突き合わせられるように前記上枠が固定される前記開口部の天面よりも下面が下方側に位置された天井下地に固定して前記両側の縦枠とによって三方枠状に枠組み一体化された前記建具用枠の前記上枠を前記天井パネルによって覆い、前記天井面近傍に至る上下寸法とされた前記建具を前記建具用枠に建て付けることを特徴とする建具施工方法。
【請求項２】
請求項１において、
前記上レールの下端縁部に全長に亘って設けられた見込み方向両外方側に向けてそれぞれ突出する突片部の上面に、該上レールの見込方向両側にそれぞれの端面が突き合わせられる前記天井パネルの下端縁を当接または近接させることを特徴とする建具施工方法。
【請求項３】
請求項１または２において、
前記天井パネルの室内側面に、化粧シートを貼着することを特徴とする建具施工方法。
【発明の詳細な説明】
【技術分野】
【０００１】
本発明は、上枠と両側の縦枠とからなる建具用枠に建具を建て付ける建具施工方法に関する。
【背景技術】
【０００２】
従来より、引戸や折戸等の建具が建て付けられる建具用枠を建物の開口部に固定し、出入開口を形成した構造が知られている。一般的には、鴨居としての上枠を開口部の天面に沿わせて固定し、この上枠に建具の上端部を保持する上レールを固定した構造とされている。このような構造では、上枠や上レールが大きく露出し、見栄え上の観点等から改善が望まれていた。
例えば、下記特許文献１には、天井下地材に上レールを固定し、この上レールと略同厚の天井仕上材を、上レールを挟むように天井下地材に固定した構造が開示されている。
【先行技術文献】
【特許文献】
【０００３】
【特許文献１】特開２００６−１９４０２６号公報
【発明の概要】
【発明が解決しようとする課題】
【０００４】
しかしながら、天井仕上材が固定される天井下地材は、一般的には複数本の桟状の野縁や鋼材等を、略等間隔を空けて互いに略平行に設けた構造とされており、天井側の全面に亘って設けられていない場合が多々ある。このような場合には、上レールの近傍の天井仕上材の端部を天井下地材に固定し難くなることも考えられ、上レールの近傍において天井仕上材の浮きや起伏等が生じ易くなることも考えられる。
【０００５】
本発明は、上記実情に鑑みてなされたものであり、出入開口の見栄えを向上させながらも施工性を向上し得る建具施工方法を提供することを目的としている。
【課題を解決するための手段】
【０００６】
上記目的を達成するために、本発明に係る建具施工方法は、上枠と両側の縦枠とを有した建具用枠を建物の開口部に固定し、該建具用枠に建具を建て付ける建具施工方法であって、前記上枠が固定される上枠下地によって構成される前記開口部の天面を、天井パネルによって構成される天井面よりも上側に位置するように設け、前記上枠の長手方向両端に前記両側の縦枠をそれぞれ接合して三方枠状に枠組み一体化した前記建具用枠を、前記開口部内に嵌め込み固定し、前記開口部内に嵌め込み固定された前記建具用枠の前記上枠の下面側に設けられた凹溝に、前記建具の上端部を保持する上レールの上側部位を嵌め込み固定し、該上レールの見込み方向両側の前記天井パネルを、該上レールの下側部位の見込み方向両側にそれぞれの端面が突き合わせられるように前記上枠が固定される前記開口部の天面よりも下面が下方側に位置された天井下地に固定して前記両側の縦枠とによって三方枠状に枠組み一体化された前記建具用枠の前記上枠を前記天井パネルによって覆い、前記天井面近傍に至る上下寸法とされた前記建具を前記建具用枠に建て付けることを特徴とする。
この場合、上枠と両側の縦枠とからなる建具用枠を建物の上枠下地及びその両側の縦枠下地によって構成される開口部に固定し、出入開口を形成した後に、該出入開口を開閉する建具を前記建具用枠に建て付ける建具施工方法であって、前記開口部の前記上枠下地によって構成される天面を天井面よりも上側に位置するように設け、前記上枠の長手方向両端に前記両側の縦枠をそれぞれ接合して前記建具用枠を三方枠状に枠組みした後に、該建具用枠を前記開口部内に嵌め込み固定し、前記建具用枠の上枠の見込み方向両側に沿わせるように、かつ前記開口部の幅方向に架け渡すように天井パネル下地用の桟材をそれぞれ固定し、これら両側の桟材の下面と下面が略同一平面状とされた他の天井下地及び前記桟材の下面に天井パネルを固定し、前記天井面近傍に至る上下寸法とされた前記建具を前記建具用枠に建て付けるようにしてもよい。
また、横断面略Ｌ字状とされた額縁状部材の片部を、少なくとも一方の前記縦枠における少なくとも一方の見込み方向端部に設けられた凹所に嵌め入れてもよい。
開口構造の一例としては、上枠と両側の縦枠とからなる建具用枠を建物の上枠下地及びその両側の縦枠下地によって構成される開口部に固定して出入開口を形成した開口構造であって、前記上枠の長手方向両端に前記両側の縦枠をそれぞれ接合して三方枠状に枠組みされ、前記開口部内に嵌め込み固定された前記建具用枠の上枠の見込み方向両側に沿うように、かつ前記開口部の幅方向に架け渡されるように天井パネル下地用の桟材がそれぞれ固定され、これら両側の桟材に、建具の上端部を保持する上レールに応じた隙間を隔てるように天井パネルがそれぞれ固定され、前記上レールが、その下面を前記隙間から露出させるように前記上枠に固定されており、前記両側の桟材が、前記両側の縦枠下地を挟むように該縦枠下地の見込み方向両面に当接されていてもよい。
【０００７】
上記開口構造においては、前記上枠の下面側に長手方向に沿って設けられた凹溝に前記上レールの上側部位を嵌め込み、該上レールの下側部位を前記隙間に配置してもよい。
また、上記開口構造においては、横断面略Ｌ字状とされ、その一片部を前記開口部の内側面に交差するように形成された壁下地面に固定される壁パネルの厚さと略同厚さとした額縁状部材の他片部を、少なくとも一方の前記縦枠における少なくとも一方の見込み方向端部に設けられた凹所に嵌め入れ、該額縁状部材の一片部と前記壁パネルとを表面略面一状に前記壁下地面に固定し、これら額縁状部材及び壁パネルの表面に一連に化粧シートを貼着した構造としてもよい。
また、上記開口構造においては、前記建具用枠を、中方立を備えた引戸用枠とし、両側の縦枠間に配設された前記中方立の戸尻側の縦枠側に袖壁下地を設け、横断面略Ｌ字状とされ、その一片部を前記袖壁下地の反引戸納め側の袖壁下地面に固定される袖壁パネルの厚さと略同厚さとした中方立用額縁状部材の他片部を、前記中方立の反引戸対面側の見込み方向端部に設けられた凹所に嵌め入れ、該中方立用額縁状部材の一片部と前記袖壁パネルとを表面略面一状に前記袖壁下地面に固定し、これら中方立用額縁状部材及び袖壁パネルの表面に一連に化粧シートを貼着した構造としてもよい。
【０００８】
開口施工方法の一例としては、上枠と両側の縦枠とからなる建具用枠を建物の上枠下地及びその両側の縦枠下地によって構成される開口部に固定し、出入開口を形成する開口施工方法であって、前記上枠の長手方向両端に前記両側の縦枠をそれぞれ接合して前記建具用枠を三方枠状に枠組みし、該建具用枠を前記開口部内に嵌め込み固定し、前記両側の縦枠下地を挟むように該縦枠下地の見込み方向両面に当接させて前記建具用枠の上枠の見込み方向両側に沿わせるように、かつ前記開口部の幅方向に架け渡すように天井パネル下地用の桟材をそれぞれ固定し、これら両側の桟材に、建具の上端部を保持する上レールに応じた隙間を隔てるように天井パネルをそれぞれ固定し、前記上レールを、その下面を天井パネル間の隙間から露出させるように前記上枠に固定する構成としてもよい。
【０００９】
上記開口施工方法においては、横断面略Ｌ字状とされ、その一片部を前記開口部の内側面に交差するように形成された壁下地面に固定される壁パネルの厚さと略同厚さとした額縁状部材の他片部を、少なくとも一方の前記縦枠における少なくとも一方の見込み方向端部に設けられた凹所に嵌め入れ、該額縁状部材の一片部と前記壁パネルとを表面略面一状に前記壁下地面に固定し、これら額縁状部材及び壁パネルの表面に一連に化粧シートを貼着するようにしてもよい。
【発明の効果】
【００１０】
本発明に係る建具施工方法によれば、出入開口の見栄えを向上させながらも施工性を向上させることができる。
【図面の簡単な説明】
【００１１】
【図１】一実施形態に係る開口構造の一例を模式的に示し、図２（ａ）におけるＸ−Ｘ線矢視に対応させた一部破断概略縦断面図である。
【図２】（ａ）は、同開口構造を模式的に示す概略正面図、（ｂ）は、（ａ）におけるＹ−Ｙ線矢視に対応させた一部破断概略横断面図である。
【図３】（ａ）〜（ｄ）は、いずれも一実施形態に係る開口施工方法の施工手順の一例を模式的に示す一部破断概略斜視図である。
【図４】（ａ）〜（ｃ）は、いずれも同開口施工方法の施工手順の一例を模式的に示し、（ａ）は、一部破断概略斜視図、（ｂ）、（ｃ）は、図２（ｂ）に対応させた一部破断概略横断面図である。
【図５】（ａ）、（ｂ）は、いずれも同開口施工方法の施工手順の一例を模式的に示す図１に対応させた一部破断概略縦断面図である。
【発明を実施するための形態】
【００１２】
以下に本発明の実施の形態について、図面に基づいて説明する。
なお、一部の図では、他図に付している詳細な符号の一部を省略している。
また、以下の実施形態では、図２（ｂ）に示すＶ方向から開口構造に対面した状態を基準として、手前側を前方、逆側を後方として、その方向等を原則的に説明する。
【００１３】
図１〜図５は、本実施形態に係る開口構造及び開口施工方法の一例を模式的に示す図である。
本実施形態に係る開口構造は、図１及び図２に示すように、住居等の建物の開口部２（図３（ｂ）も参照）に、建具用枠１を固定して出入開口８を形成した構造とされている。
本実施形態では、出入開口８を開閉する建具３６を引戸３６とし、建具用枠１を引戸用枠１としている。また、本実施形態では、引戸３６が納められる（引き込まれる）袖壁を設けた開口構造を示しており、一枚の引戸３６を袖壁納めで施工した開口構造を例示している。また、本実施形態では、引戸用枠１を、引戸３６を吊下支持する上吊り型としており、床側に下レール等を設けていない開口構造を例示している。
【００１４】
開口部２は、図３（ｂ）に示すように、正面視して略矩形状とされており、その天面３が、横桟やまぐさ等の横架材または該横架材の下面側に固定された飼木（スペーサー材）等からなる上枠下地によって構成されている。本実施形態では、図１に示すように、開口部２の天面３を、天井面６よりも上側に位置するように設けている。
また、開口部２は、その開口幅方向両側の内側面４，４が、間柱等の柱材または該柱材の開口幅方向内側に固定された飼木（スペーサー材）等からなる左右両側の縦枠下地によって構成されている。
また、開口部２は、その下面が、床材または床下地によって構成されている。なお、図例では、開口部２の下面を、床面７としている（図１参照）。
【００１５】
引戸用枠１は、図１〜図３に示すように、上枠１０と、この上枠１０に固定される上レール１４と、この上枠１０の長手方向両側に配設される両側の縦枠２０，２３と、これら縦枠２０，２３間に配設される中方立２６と、を備えている。
上枠１０は、開口部２の開口幅方向に沿って長尺の帯板状とされている。また、本実施形態では、長手方向一方側略半部の出入開口側部位１１の見込み寸法（前後方向に沿う寸法、壁厚方向に沿う寸法）よりも、長手方向他方側略半部の袖壁側部位１２の見込み寸法を袖壁に応じて小さくした上枠１０を例示している。この上枠１０の出入開口側部位１１の見込み寸法は、図１に示すように、当該上枠１０が固定される開口部２の天面３の見込み寸法（前後両側の壁下地面５，５間寸法）よりも小さく形成されている（図２（ｂ）も参照）。
また、本実施形態では、上枠１０の下面側に、上レール１４の上側部位を受け入れる凹溝１３を長手方向に沿って設けている。この凹溝１３は、下向きに開口し、かつ当該上枠１０の全長に亘って設けられている。
【００１６】
上レール１４は、上枠１０の長さ寸法と略同長さとされ、上枠１０の凹溝１３にその上側部位を嵌め込み、上枠１０に固定される。また、この上レール１４の見込み方向に沿う寸法は、上枠１０の凹溝１３に嵌め込み可能なように、凹溝１３の見込み方向に沿う寸法（溝幅寸法）に応じた寸法とされている。
また、上レール１４は、図１に示すように、上枠１０の凹溝１３の下向きの溝底面に当接される上板部１５と、この上板部１５の見込み方向両側縁から垂れ下がるように連成された両側板部１６，１６と、を備えている。また、上レール１４は、これら上板部１５及び両側板部１６，１６によって縦断面形状が、下方に向けて開口する略コ字状（略Ｕ字状または略Ｃ字状）とされている。また、上レール１４の両側板部１６，１６の下端縁部には、互いに向き合う方向に突出する案内片１７，１７が当該上レール１４の全長に亘ってそれぞれに設けられている。
【００１７】
上レール１４は、これら上板部１５、両側板部１６，１６及び両案内片１７，１７によってガイド溝１９を区画し、このガイド溝１９に、引戸３６の上端部に連結固定されたランナー部材３７の転動部（ローラー）等が長手方向一端側の開口から挿入等されて収容される。また、両案内片１７，１７に、引戸３６のランナー部材３７のローラー等が当該上レール１４の長手方向に沿って転動自在に支持されることで、引戸３６が上レール１４に対してスライド自在に吊下支持される。
また、本実施形態では、上レール１４の両側板部１６，１６の下端縁部に、見込み方向外方側に向けてそれぞれに突出する突片部１８，１８を当該上レール１４の全長に亘ってそれぞれに設けている。これら突片部１８，１８は、図１に示すように、後記する天井パネル４１，４１の上レール側端部（隙間側端部）の下端縁を覆うように該下端縁に当接または近接して配置される。
【００１８】
両側の縦枠２０，２３は、図２に示すように、引戸３６の戸先側に配設される戸先側縦枠２０と、引戸３６の戸尻側に配設される戸尻側縦枠２３と、からなる。これら両側の縦枠２０，２３は、開口部２の開口高に応じた長さ寸法とされ、帯板状とされている。
また、本実施形態では、戸先側縦枠２０の見込み寸法よりも、戸尻側縦枠２３の見込み寸法を袖壁に応じて小さくしている。
戸先側縦枠２０は、その見込み寸法がこの戸先側縦枠２０が固定される開口部２の内側面４の見込み寸法（前後両側の壁下地面５，５間寸法）よりも小さく形成されている。
また、本実施形態では、この戸先側縦枠２０の見込み方向両側端部のそれぞれに凹所２１，２２（前側凹所２１、後側凹所２２）を設けている。これら前側凹所２１及び後側凹所２２は、戸先側縦枠２０の見込み方向両側端面において開口するように、それぞれ凹溝状に戸先側縦枠２０の全長に亘って設けられている。
【００１９】
戸尻側縦枠２３は、図例では、その見込み寸法が戸先側縦枠２０の見込み寸法の略１／２程度とされている。
また、本実施形態では、この戸尻側縦枠２３の反袖壁側の見込み方向端部（後端部）に凹所（後側凹所）２５を設けている。この後側凹所２５は、上記と略同様、戸尻側縦枠２３の後端面において開口するように、凹溝状に戸尻側縦枠２３の全長に亘って設けられている。
また、これら両側の縦枠２０，２３の互いに向き合う各内側面には、互いに向き合う方向に開口し、引戸３６の戸幅方向端部を受け入れる戸じゃくり溝が長手方向に沿って設けられている。これら両側の縦枠２０，２３の各戸じゃくり溝は、上枠１０の上レール１４の見込み方向位置に応じた位置となるように設けられている。
【００２０】
なお、これら両側の縦枠２０，２３の各凹所２１，２２，２５は、これら縦枠２０，２３の開口幅方向中心側（内側面側）縁部の強度を確保しながらもそれぞれの見付け面を小さくする観点等から、これら縦枠２０，２３の見付け方向（開口幅方向）の適宜の位置に設けるようにしてもよい。例えば、上記のような観点等から、各縦枠２０，２３のそれぞれの内側面から１ｍｍ〜１０ｍｍ程度、好ましくは、４ｍｍ〜８ｍｍ程度の位置にそれぞれの内側面側の凹溝縁が位置するように各凹所２１，２２，２５を設けるようにしてもよい。
【００２１】
上記構成とされた両側の縦枠２０，２３と上記した上枠１０とは、図３（ａ）、（ｂ）に示すように、上枠１０の長手方向両端に両側の縦枠２０，２３をそれぞれ接合して三方枠状に枠組みされる。例えば、上枠１０の長手方向の各端面に、各縦枠２０，２３の上端部内側面を当接させ、各縦枠２０，２３の外側面側からねじや釘等の止具９を上枠１０に捩じ込む（または打ち込む）ことで三方枠状に枠組みするようにしてもよい。なお、両側の縦枠２０，２３の各上端部に、これらの厚さ方向（見付け方向）に貫通し、止具９が挿通される挿通孔を設け、上枠１０の長手方向両端部に、各縦枠２０，２３の挿通孔に整合する止具穴を設けるようにしてもよい。また、両側の縦枠２０，２３と上枠１０とは、上記のようにいわゆる縦勝ちで接合する態様に限られず、いわゆる横勝ちで接合する態様としてもよい。
また、このように枠組みされた上枠１０と両側の縦枠２０，２３とからなる引戸用枠１は、図３（ｂ）、（ｃ）に示すように、開口部２に嵌め込まれ、上記した開口部２の天面３及び両内側面４，４に沿わせて上枠下地及び両縦枠下地に止具９によって固定される。
【００２２】
中方立２６は、開口部２の開口高に応じた長さ寸法とされ、帯板状とされている。
この中方立２６は、袖壁に応じた見込み寸法とされており、本実施形態では、その見込み寸法が袖壁の壁厚よりも小さく形成されている。
また、本実施形態では、この中方立２６の反引戸対面側の見込み方向端部（前端部）に凹所（前側凹所）２７を設けている。この前側凹所２７は、上記と略同様、中方立２６の前端面において開口するように、凹溝状に中方立２６の全長に亘って設けられている。
この中方立２６の前側凹所２７は、上記した各縦枠２０，２３と略同様、中方立２６の内側面（戸先側縦枠２０側面）から１ｍｍ〜１０ｍｍ程度、好ましくは、４ｍｍ〜８ｍｍ程度の位置に内側面側の凹溝縁が位置するように設けるようにしてもよい。
【００２３】
また、この中方立２６の引戸対面側の見込み方向端部（後端部）には、引戸３６の袖壁対面側面（前面）に摺るように接する隙間遮蔽部材（モヘア部材）２９が当該中方立２６の概ね全長に亘って設けられている。この隙間遮蔽部材２９は、中方立２６の後端面において開口するように凹溝状に形成された取付溝２８に嵌め込まれるように取り付けられている。
また、図例では、中方立２６の後端部を、中方立２６の戸尻側に設けられた袖壁の引戸納め側面（後面）よりも突出させるように配置した例を示している（図２（ｂ）参照）。また、図例では、この中方立２６の戸尻側（袖壁側）の側面に、袖壁を構成する引戸納め側（後側）の袖壁パネル４７の幅方向一端部を受け入れる凹溝を当該中方立２６の全長に亘って設けた例を示している。
この中方立２６は、その上端部を上記した上枠１０の出入開口側部位１１と袖壁側部位１２との境界部位に係合させ、該上端部が上枠１０に上記同様の止具によって固定される（図３（ｄ）参照）。また、中方立２６の下端部は、床材や床下地等に上記同様の止具によって固定するようにしてもよい。
【００２４】
なお、上記した引戸用枠１の上枠１０、両側の縦枠２０，２３及び中方立２６は、木質系材料等から形成されたものとしてもよい。木質系材料としては、合板やＬＶＬ（単板積層材）等の木質積層板や、パーティクルボード等の木質ボード、インシュレーションボードやＭＤＦ（中密度繊維板）等の木質繊維板などを採用するようにしてもよい。また、例えば、合成樹脂系材料に、木粉や無機フィラー、相溶化剤、着色剤などを所定の含有割合で含有させた木粉（木質）・プラスチック複合材（ＷＰＣ）や、その他の合成樹脂系材料、金属系材料等から形成されたものとしてもよい。また、施工された状態で少なくとも露出する部位に、突板や合成樹脂シート等の貼着や、塗装等によって表面化粧処理が施されたものとしてもよい。また、上レール１４は、合成樹脂系材料や金属系材料等から形成されたものとしてもよい。
【００２５】
中方立２６の戸尻側に設けられた袖壁は、図２（ｂ）及び図４に示すように、袖壁下地４３の引戸納め側の袖壁下地面（後面）４４及び反引戸納め側の袖壁下地面（前面）４５のそれぞれに袖壁パネル４７，４８を固定した構造とされている。
袖壁下地４３は、図４（ａ）に示すように、複数本の縦桟と複数本の横桟とから軸組み状（枠組み状）に形成されている。図例では、両側の縦桟の上端部間及び下端部間に上下の横桟を設け、また、両側の縦桟間に中間縦桟を設けた袖壁下地４３を例示している。この袖壁下地４３は、その厚さが袖壁の厚さに応じて形成されている。
また、袖壁下地４３は、その反引戸納め側の袖壁下地面（前面）４５が、開口部２の戸尻側の内側面４に交差するように形成された反引戸納め側の壁下地面５と略同一平面状となるように設けられている。
【００２６】
また、この袖壁下地４３は、中方立２６側の一方の縦桟が中方立２６の戸尻側の側面に固定され、他方の縦桟が開口部２の戸尻側の内側面４に固定されている。また、本実施形態では、この他方の縦桟の開口幅方向に沿う寸法を、戸尻側縦枠２３の開口幅方向に沿う寸法（見付け寸法）よりも大きく形成している。
また、この袖壁下地４３は、上側の横桟が開口部２の天面３等に固定され、下側の横桟が開口部２の下面等に固定されている。
また、本実施形態では、袖壁下地４３の引戸納め側の袖壁下地面（後面）４４と戸尻側縦枠２３の見込み方向袖壁側端面（前端面）２４との間に、袖壁下地４３の後面４４に固定される袖壁パネル４７を介在させた例を示している。この袖壁パネル４７は、袖壁下地４３を構成する上記した各桟に、その引戸納め側から上記同様の止具によって固定するようにしてもよい。
【００２７】
図例では、袖壁下地４３の後面４４に固定された袖壁パネル４７の引戸納め側の表面（反袖壁下地側面）に、戸尻側縦枠２３の前端面２４を当接させた例を示している。このような構造とすれば、袖壁パネル４７の戸尻側縦枠２３側の端部が直線状に切断されていないような場合にも、戸尻側縦枠２３によって、その端部が隠蔽されて露出せず見栄えを阻害することがない。換言すれば、袖壁を構成する袖壁パネル４７の戸尻側縦枠２３側の端部を、精度良く加工する必要がなく、袖壁の施工性を向上させることができる。なお、このような構造に代えて、袖壁下地４３の後面４４に、戸尻側縦枠２３の前端面２４を当接または近接させ、戸尻側縦枠２３の内側面（見込み面）に、袖壁パネル４７の戸尻側縦枠２３側の端部を当接させる構造としてもよい。
【００２８】
また、本実施形態では、引戸用枠１は、戸先側縦枠２０の見込み方向両側及び戸尻側縦枠２３の見込み方向反袖壁側にそれぞれ配設される額縁状部材３０，３０，３０と、中方立２６の見込み方向反引戸対面側に配設される中方立用額縁状部材３３と、を備えている。
これら額縁状部材３０，３０，３０及び中方立用額縁状部材３３は、概ね同様の構成とされており、横断面略Ｌ字状とされている。これら額縁状部材３０，３０，３０及び中方立用額縁状部材３３は、開口部２の開口高に概ね応じた長さ寸法とされている。図例では、これら額縁状部材３０，３０，３０及び中方立用額縁状部材３３の長さ寸法を、開口部２の開口高よりも小さくし、各上端部が後記する桟材４０，４０の下面に当接または近接するような寸法としている（図５（ａ）参照）。また、本実施形態では、これら額縁状部材３０，３０，３０及び中方立用額縁状部材３３を、同一部材としている。
【００２９】
各額縁状部材３０，３０，３０は、図２（ｂ）に示すように、それぞれの一片部３１，３１，３１が開口部２の両内側面４，４に交差するように形成された壁下地面５，５，５に固定される壁パネル４６，４６，４６の厚さと略同厚さとされている。なお、壁下地面５は、図例では、上記した柱等の縦枠下地の前後両面とした例を示しているが、この前後両面に固定された胴縁等の前後面としてもよい。また、壁下地面５は、縦枠下地の前後両面に加え、互いに間隔を空けて配設された複数本の間柱等の柱材等（または柱材等の前後両面に固定された胴縁等）からなる壁下地の前後両面によって構成するようにしてもよい。
【００３０】
また、各額縁状部材３０，３０，３０は、それぞれの他片部３２，３２，３２が上記した各縦枠２０，２３の各凹所２１，２２，２５に嵌め込まれる。上記した各縦枠２０，２３は、各凹所２１，２２，２５に、各額縁状部材３０，３０，３０の他片部３２，３２，３２の少なくとも一部が嵌め込み可能なように、それぞれの見込み寸法及び各凹所２１，２２，２５の深さ寸法（見込み方向に沿う寸法）が設定されている。
各額縁状部材３０，３０，３０は、それぞれの他片部３２，３２，３２を各縦枠２０，２３の各凹所２１，２２，２５に嵌め込み、それぞれの一片部３１，３１，３１が壁下地面５，５，５に固定される。なお、各額縁状部材３０，３０，３０の一片部３１，３１，３１の壁下地面５，５，５への固定態様としては、上記同様の止具や、接着剤等によって固定するようにしてもよい。
【００３１】
また、本実施形態では、各額縁状部材３０，３０，３０の一片部３１，３１，３１と各壁パネル４６，４６，４６とを表面略面一状に壁下地面５，５，５に固定した構造としている。つまり、各額縁状部材３０，３０，３０の一片部３１，３１，３１の端面と各壁パネル４６，４６，４６の端面とを一致させるように突き合わせ、これらを壁下地面５，５，５に固定した構造としている。
また、本実施形態では、これら額縁状部材３０，３０，３０及び壁パネル４６，４６，４６の表面に一連に化粧シート４９，４９，４９を貼着した構造としている。図例では、各額縁状部材３０，３０，３０の他片部３２，３２，３２における各縦枠２０，２３の各凹所２１，２２，２５に嵌め込まれた部位を除く表面（見込み面）及び各額縁状部材３０，３０，３０の一片部３１，３１，３１の表面（見付け面）並びに各壁パネル４６，４６，４６の表面（反壁下地側面）に、化粧シート４９，４９，４９を一連に貼着した構造としている。なお、化粧シート４９，４９，４９は、合成樹脂シートや、壁クロス（壁紙）等としてもよい。
【００３２】
中方立用額縁状部材３３は、その一片部３４が、中方立２６の戸尻側に設けられた袖壁下地４３の前面４５に固定される袖壁パネル４８の厚さと略同厚さとされている。なお、本実施形態では、袖壁下地４３の前後面４４，４５のそれぞれに固定される袖壁パネル４７，４８、及び上記した壁下地面５，５，５に固定される壁パネル４６，４６，４６をそれぞれ略同厚さとしている。
また、中方立用額縁状部材３３は、その他片部３５が上記した中方立２６の前側凹所２７に嵌め込まれる。上記した中方立２６は、その凹所２７に、中方立用額縁状部材３３の他片部３５の少なくとも一部が嵌め込み可能なように、見込み寸法及び凹所２７の深さ寸法（見込み方向に沿う寸法）が設定されている。
【００３３】
この中方立用額縁状部材３３は、その他片部３５を中方立２６の凹所２７に嵌め込み、その一片部３４が袖壁下地４３の前面４５に固定される。なお、中方立用額縁状部材３３の一片部３４の袖壁下地４３への固定態様としては、上記同様、止具や、接着剤等によって固定するようにしてもよい。
また、本実施形態では、この中方立用額縁状部材３３の一片部３４と袖壁下地４３の前面４５に固定される袖壁パネル４８とを表面略面一状に袖壁下地４３の前面４５に固定した構造としている。つまり、上記同様、中方立用額縁状部材３３の一片部３４の端面と前面側の袖壁パネル４８の端面とを一致させるように突き合わせ、これらを袖壁下地４３の前面４５に固定した構造としている。
【００３４】
また、本実施形態では、これら中方立用額縁状部材３３及び前面側の袖壁パネル４８の表面に一連に、上記同様の化粧シート４９を貼着した構造としている。図例では、上記同様、中方立用額縁状部材３３の他片部３５における中方立２６の凹所２７に嵌め込まれた部位を除く表面（見込み面）及び中方立用額縁状部材３３の一片部３４の表面（見付け面）並びに前面側の袖壁パネル４８の表面（反袖壁下地側面）に、化粧シート４９を一連に貼着した構造としている。なお、図例では、上記した袖壁下地４３の後面４４に固定された袖壁パネル４７の表面（反袖壁下地側面）にも同様の化粧シート４９を貼着した例を示している。
【００３５】
なお、図例では、各額縁状部材３０，３０，３０及び中方立用額縁状部材３３の他片部３２，３２，３２，３５の厚さ寸法（見付け方向に沿う寸法）を、一片部３１，３１，３１，３４の厚さ寸法（見込み方向に沿う寸法）よりも小さくした例を示しているが、これらを略同寸法としてもよい。
また、図例では、各額縁状部材３０，３０，３０及び中方立用額縁状部材３３の他片部３２，３２，３２，３５の幅寸法（見込み方向に沿う寸法）を、一片部３１，３１，３１，３４の幅寸法（見付け方向に沿う寸法）よりも小さくした例を示しているが、これらを略同寸法としてもよい。
また、各額縁状部材３０，３０，３０及び中方立用額縁状部材３３は、上記同様の木質系材料や、木粉（木質）・プラスチック複合材（ＷＰＣ）、その他の合成樹脂系材料、金属系材料等から形成されたものとしてもよい。また、各額縁状部材３０，３０，３０及び中方立用額縁状部材３３は、横断面略Ｌ字状に一体的に形成されたものとしてもよく、または、それぞれに帯板状とされた材料を接着剤等で接合して横断面略Ｌ字状に形成されたものとしてもよい。
【００３６】
また、各額縁状部材３０，３０，３０及び中方立用額縁状部材３３は、各他片部３２，３２，３２，３５の幅寸法（見込み方向に沿う寸法）を、予め大きい寸法としておき、適宜、施工現場において壁厚に応じて各他片部３２，３２，３２，３５が切断されるものとしてもよい。
また、本実施形態では、各額縁状部材３０，３０，３０及び中方立用額縁状部材３３の他片部３２，３２，３２，３５が嵌め入れられる各縦枠２０，２３及び中方立２６の凹所２１，２２，２５，２７を、それぞれの端面において開口するように設けた態様とした例を示しているが、このような態様に限られない。例えば、各縦枠２０，２３の開口部２の内側面４側の角部や、中方立２６の袖壁下地４３側の角部に、切り欠くようにして凹段部を設け、該凹段部と開口部２の内側面４や袖壁下地４３とによって凹所を構成したような態様としてもよい。この場合は、各額縁状部材３０，３０，３０及び中方立用額縁状部材３３の他片部３２，３２，３２，３５を、開口部２の内側面４や袖壁下地４３に沿わせて固定するようにしてもよい。
【００３７】
また、各壁下地面５，５，５及び袖壁下地４３の前後面４４，４５に固定された壁パネル４６，４６，４６及び袖壁パネル４７，４８は、上下寸法が概ね床面７または床下地から天井面６または天井下地までの寸法とされたものとしてもよく、または、上下に複数枚から構成されたものとしてもよい。
また、図例では、袖壁下地４３の前面４５に固定された袖壁パネル４８を、袖壁下地４３の前面４５に連なるように形成された壁下地面５をも覆うように固定した例を示しているが、このような態様に限られない。例えば、この袖壁パネル４８の幅寸法を袖壁下地４３の幅寸法に応じた寸法とし、その側部に他の壁パネル４６を沿わせて壁下地面５に固定した態様としてもよい。
【００３８】
また、各壁パネル４６，４６，４６及び各袖壁パネル４７，４８は、一般的な内装用面材としてもよく、厚さ寸法が５ｍｍ〜２５ｍｍ程度とされたものとしてもよい。例えば、無垢材や上記同様の木質系材料、石膏ボード等の無機質系材料、合成樹脂系材料等からなるものとしてもよい。このような面材は、その厚さ寸法が、例えば、９．５ｍｍ、１２．５ｍｍ、１５ｍｍ、２１ｍｍ等と規格化されており、その厚さ寸法に応じた寸法となるように、上記した各額縁状部材３０，３０，３０及び中方立用額縁状部材３３の一片部３１，３１，３１，３４の厚さ寸法を設定するようにしてもよい。
【００３９】
また、本実施形態では、引戸用枠１は、図１及び図２（ｂ）に示すように、引戸３６の下端側をガイドする下端ガイド部材３９を備えている。図例では、上方に向けて突出するガイドピン３９ａを備え、床面７に固定される下端ガイド部材３９を例示している。また、図例では、この下端ガイド部材３９を、中方立２６の引戸対面側の床面７に設けた例を示している。なお、下端ガイド部材３９としては、このような固定的に設けられたガイドピン３９ａを備えたものに限られず、上下方向に出没自在とされた磁石を設けたガイドピンを有し、床に埋め込まれるように配設されるマグネットガイド等としてもよい。また、図例では、単一の下端ガイド部材３９を、中方立２６の引戸対面側の床面７に設けた例を示しているが、他の部位に設けるようにしてもよく、また、引戸３６の移動軌跡に沿って間隔を空けて複数箇所に設けるようにしてもよい。
【００４０】
引戸３６は、上記構成とされた引戸用枠１に、スライド自在に建て付けられる。
この引戸３６は、図１及び図２（ａ）に示すように、上下寸法が床面７から天井面６に概ね至る上下寸法とされている。
また、この引戸３６の上端部には、上記した上レール１４に支持されるランナー部材３７が連結固定されている。このランナー部材３７は、引戸３６の上端部の戸幅方向両側端部のそれぞれに設けるようにしてもよい。また、図例では、ランナー部材３７に、水平軸廻りに回転し、上レール１４の両案内片１７，１７上を転動するローラーを設けた例を示している。
【００４１】
また、引戸３６の下端部には、上記した下端ガイド部材３９のガイドピン３９ａを受け入れるガイド溝３８が設けられている。このガイド溝３８は、引戸３６の下端面において開口するように引戸３６の戸幅方向の全幅に亘って設けられている。また、図例では、縦断面下向き開口形状のレール状部材を、引戸３６の下端面に設けた凹溝に嵌め込み、ガイド溝３８を構成した例を示している。
この引戸３６は、例えば、上レール１４を上枠１０に固定する前に、そのランナー部材３７を上レール１４に支持させ、上レール１４を上枠１０に固定した後に、その上端部の取付部（カップ部）にランナー部材３７を取り付けて固定し、建て付けるようにしてもよい。
なお、図２（ａ）において、符号３６ａは、引戸３６の引手（取手）である。
【００４２】
また、本実施形態では、図１に示すように、開口部２内に嵌め込み固定された引戸用枠１の上枠１０の見込み方向両側に沿うように、天井パネル下地用の桟材４０，４０をそれぞれ固定した構造としている。これら両側の桟材４０，４０は、図３（ｄ）に示すように、開口部２の幅方向に架け渡されるように固定されている。
本実施形態では、図１に示すように、これら両側の桟材４０，４０を、上枠下地の前後面（見込み方向両面）にそれぞれ当接させた例を示している。また、本実施形態では、図３（ｄ）に示すように、これら両側の桟材４０，４０の長さ寸法を開口部２の開口幅寸法よりも大きく形成し、これら両側の桟材４０，４０を、両側の縦枠下地を挟むように縦枠下地の前後面（壁下地面）５，５に当接させた例を示している。
【００４３】
これら両側の桟材４０，４０は、上枠下地及び縦枠下地の両方または一方に、上記同様の止具によって固定するようにしてもよい。
また、これら両側の桟材４０，４０は、上記同様の木質系材料を四角柱状に加工して形成されたものとしてもよく、または、他の天井下地に合わせて鋼材等からなるものとしてもよい。
なお、これら両側の桟材４０，４０は、それぞれの下面が、野縁や鋼材等からなる他の天井下地の下面と略同一平面状となるように固定されている。
また、図例では、これら両側の桟材４０，４０の厚さ寸法（上下寸法）を上枠１０の厚さ寸法よりも大きくし、それぞれの下面が上枠１０の下面よりも下側位置となるように、これら両側の桟材４０，４０を固定した例を示している。
【００４４】
また、本実施形態では、図１に示すように、これら両側の桟材４０，４０に、上レール１４に応じた隙間４２を隔てるように天井パネル４１，４１をそれぞれ固定した構造としている。また、上レール１４を、その下面を隙間４２から露出させるように上枠１０に固定した構造としている。
これら天井パネル４１，４１は、上レール１４の両側板部１６，１６に、それぞれの端面を当接または近接させ、上レール１４側の端部が両側の桟材４０，４０のそれぞれに、上記同様の止具によって固定されている。なお、これら天井パネル４１，４１は、桟材４０，４０に加え、他の部位をこれら桟材４０，４０に隣接する他の天井下地に固定するようにしてもよい。
【００４５】
また、本実施形態では、これら天井パネル４１，４１の上レール１４側の下端縁を、上レール１４の見込み方向両側の下端縁部に設けられた突片部１８，１８の上面に当接または近接させている。このような構造とすれば、これら天井パネル４１，４１の上レール１４側の端部が直線状に切断されていないような場合にも、上レール１４の両側の突片部１８，１８によって、各端部が隠蔽されて露出せず見栄え良く納めることができる。換言すれば、各天井パネル４１，４１の上レール１４側の端部を、精度良く加工する必要がなく、天井の施工性を向上させることができる。
【００４６】
これら天井パネル４１，４１は、それぞれの上レール１４側の端面間に上レール１４に応じた隙間４２が形成されるように、それぞれの上レール１４側の端面を、その上方側の上枠１０に設けられた凹溝１３のそれぞれの溝内壁と略同一平面状となるよう位置付け、固定するようにしてもよい。または、これら天井パネル４１，４１は、上レール１４を上枠１０に固定した後に、上レール１４の見込み方向両側にそれぞれの上レール１４側の端面を突き合わせ、固定するようにしてもよい。
なお、これら天井パネル４１，４１は、上記した壁パネル４６，４６，４６及び袖壁パネル４７，４８と概ね同様の内装用面材としてもよい。この場合、天井パネル４１，４１の室内側面（下面）に、上記同様の化粧シートを貼着するようにしてもよい。
【００４７】
上記した上レール１４は、その上側部位が上枠１０の凹溝１３に嵌め込まれ、その下側部位が、その両側の天井パネル４１，４１間の隙間４２に配置されている。本実施形態では、上レール１４の下面が天井パネル４１，４１の下面よりも僅かに下方位置となるように上レール１４を固定した構造としている。例えば、上レール１４の下面が天井パネル４１，４１の下面よりも１．０ｍｍ〜５．０ｍｍ程度、下方位置となるように上レール１４を固定するようにしてもよい。または、上レール１４の下面と天井パネル４１，４１の下面とが略同一平面状となるように上レール１４を固定するようにしてもよい。
このように上レール１４及びその両側の天井パネル４１，４１を施工した状態では、上枠１０が天井パネル４１，４１によって覆われた状態となる。
なお、この上レール１４の上枠１０への固定態様としては、上記同様の止具や、接着剤等によって固定するようにしてもよい。
【００４８】
次に、本実施形態に係る開口構造の施工手順（開口施工方法）の一例について、説明する。
まず、図３（ａ）〜（ｃ）に示すように、引戸用枠１の上枠１０及び両側の縦枠２０，２３を、上述のように三方枠状に枠組みし、開口部２内に嵌め込み固定する。
次いで、図３（ｄ）に示すように、引戸用枠１の上枠１０の見込み方向両側に沿わせるように、かつ開口部２の幅方向に架け渡すように天井パネル下地用の桟材４０，４０をそれぞれ上述のように固定する。また、中方立２６を開口部２内に配設し、上述のように固定する。
【００４９】
また、図４（ａ）に示すように、中方立２６と開口部２の袖壁側の内側面４との間に袖壁下地４３を形成する。また、図４（ｂ）に示すように、袖壁下地４３の後面４４に、袖壁パネル４７を固定する。
また、図４（ｂ）に示すように、各額縁状部材３０，３０，３０の他片部３２，３２，３２を、各縦枠２０，２３の各凹所２１，２２，２５に嵌め入れ、それぞれの一片部３１，３１，３１を壁下地面５，５，５に固定する。また、中方立用額縁状部材３３の他片部３５を、中方立２６の凹所２７に嵌め入れ、その一片部３４を袖壁下地４３の前面４５に固定する。
次いで、図４（ｃ）に示すように、壁下地面５，５，５のそれぞれに、各額縁状部材３０，３０，３０の一片部３１，３１，３１と表面略面一状となるように壁パネル４６，４６，４６を固定する。また、袖壁下地４３の前面４５に、中方立用額縁状部材３３の一片部３４と表面略面一状となるように袖壁パネル４８を固定する。
【００５０】
次いで、図５（ａ）に示すように、両側の桟材４０，４０に、上レール１４に応じた隙間４２を隔てるように天井パネル４１，４１をそれぞれ固定する。この際、これら天井パネル４１，４１を、各縦枠２０，２３及び中方立２６並びに各額縁状部材３０，３０，３０及び中方立用額縁状部材３３、さらには壁パネル４６，４６，４６及び袖壁パネル４７，４８の表面形状に応じた形状となるように加工し、固定するようにしてもよい。また、上レール１４の見込み方向袖壁側（手前側）に設けられる天井パネル４１は、出入開口８側の部位と袖壁側の部位とに分割されたものとしてもよい。例えば、上レール１４と袖壁との間には、幅狭のスペーサー状の他の天井パネルを固定する態様としてもよい。この場合は、適宜、必要に応じて上枠１０の下面側に厚さ調整のスペーサー等を設け、このスペーサーに対して他の天井パネルを固定するようにしてもよい。また、この場合は、この他の天井パネルによって隙間４２の一部を形成するようにしてもよい。
【００５１】
また、図５（ｂ）に示すように、上レール１４を、その下面を天井パネル４１，４１間の隙間４２から露出させるように上枠１０に固定する。
また、図１及び図２（ｂ）に示すように、各額縁状部材３０，３０，３０及び壁パネル４６，４６，４６の表面に一連に化粧シート４９，４９，４９をそれぞれ貼着する。また、中方立用額縁状部材３３及び前面側の袖壁パネル４８の表面に一連に化粧シート４９を貼着する。また、後面側の袖壁パネル４７の表面に化粧シート４９を貼着する。
【００５２】
上記のようにして、開口部２の戸尻側には、引戸３６のスライドスペースの手前側に位置するように袖壁が形成され、開口部２の戸先側には、引戸３６によって開閉される出入開口８が形成された開口構造が構成される。
そして、適宜、引戸３６を、引戸用枠１に建て付ける（吊り下げる）ことで、袖壁納めの引戸構造が構成される。
なお、上記施工手順は一例に過ぎず、各部材の機能を阻害しない限りにおいて別手順で行うようにしてもよい。
【００５３】
本実施形態に係る開口構造は、上述のような構成としたことで、また、本実施形態に係る開口施工方法によれば、出入開口８の見栄えを向上させながらも施工性を向上させることができる。
つまり、上枠１０の長手方向両端に両側の縦枠２０，２３がそれぞれ接合されて三方枠状に枠組みされ、開口部２内に嵌め込み固定された建具用枠（引戸用枠）１の上枠１０に上レール１４を固定した構造としている。従って、上枠１０の水平や建具厚方向の位置決めを、長手方向両側に接合された両側の縦枠２０，２３によって行い易くなる。このように位置決めされた上枠１０に対して上レール１４を固定することができるので、上レール１４の水平や建具厚方向の位置決めも容易に行え、施工性を向上させることができる。
【００５４】
また、この上枠１０の見込み方向両側に沿うように、かつ開口部２の幅方向に架け渡すように天井パネル下地用の桟材４０，４０をそれぞれ固定した構造としている。また、これら両側の桟材４０，４０に固定された天井パネル４１，４１の隙間４２から下面を露出させるように上レール１４を上枠１０に固定した構造としている。従って、上枠１０が天井パネル４１，４１によって覆われて露出せず、上レール１４が天井パネル４１，４１の隙間４２に配置されることとなり、上レール１４も目立ち難くすることができ、見栄えを向上させることができる。また、上レール１４近傍の天井パネル４１，４１の端部を、上枠１０の見込み方向両側の桟材４０，４０に固定することができるので、これら天井パネル４１，４１の浮きや起伏等を抑制することができ、見栄えを向上させることができる。
【００５５】
また、本実施形態では、上レール１４の上側部位を上枠１０の下面側に長手方向に沿って設けられた凹溝１３に嵌め込んだ構造としている。従って、上レール１４を上枠１０に固定する際における位置決めをより容易に行え、施工性をより向上させることができる。また、上レール１４の上側部位が上枠１０の凹溝１３に嵌め込まれているので、上レール１４の厚さ寸法を効率的に大きくしながらも、天井パネル４１，４１から下方側への上レール１４の突出量を低減させることができる。つまり、本実施形態のように、上レール１４が天井パネル４１，４１の下面から僅かに突出した構造とすることができ、見栄えをより向上させることができる。また、上レール１４の厚さ寸法を効率的に大きくすることができるので、上レール１４に対する引戸３６の上端部（ランナー部材）３７の係り代を大きくすることができる。つまりは、ランナー部材３７のローラーを比較的に大きくすることもでき、引戸３６の上端部を安定的に保持させることができる。
【００５６】
また、本実施形態では、両側の縦枠２０，２３の各凹所２１，２２，２５に、各額縁状部材３０，３０，３０の他片部３２，３２，３２を嵌め込み、各額縁状部材３０，３０，３０の一片部３１，３１，３１と壁パネル４６，４６，４６とを表面略面一状に壁下地面５，５，５に固定した構造としている。また、これら額縁状部材３０，３０，３０及び壁パネル４６，４６，４６の表面に一連に化粧シート４９，４９，４９を貼着した構造としている。従って、これら額縁状部材３０，３０，３０が設けられた側の各縦枠２０，２３の見込み方向端部側がすっきりとした印象となり、見栄えを向上させることができる。つまり、従来の固定枠やケーシング枠のように、壁面から縦枠やケーシング額縁が突出せず、また、各縦枠２０，２３の見付け面が目立ち難くなり、これら縦枠部分の開口縁の見栄えを向上させることができる。
また、各額縁状部材３０，３０，３０を横断面略Ｌ字状としている。従って、それぞれの他片部３２，３２，３２を各縦枠２０，２３の凹所２１，２２，２５に嵌め込み、それぞれの一片部３１，３１，３１を壁下地面５，５，５に当接させることで、各額縁状部材３０，３０，３０を容易に施工することができ、施工性を向上させることができる。
【００５７】
また、本実施形態では、中方立２６の反引戸対面側の凹所２７に、中方立用額縁状部材３３の他片部３５を嵌め込み、中方立用額縁状部材３３の一片部３４と前面側の袖壁パネル４８とを表面略面一状に袖壁下地４３の前面４５に固定した構造としている。また、これら中方立用額縁状部材３３及び袖壁パネル４８の表面に一連に化粧シート４９を貼着した構造としている。従って、中方立２６の反引戸対面側の見込み方向端部側が、上記同様、すっきりとした印象となり、見栄えを向上させることができる。また、上記同様、施工性を向上させることができる。
つまり、本実施形態では、各縦枠２０，２３及び中方立２６並びに上レール１４を目立ち難くすることができ、引戸３６が天井面６近傍に至る上下寸法とされていることとも相俟って、すっきりとした印象を与えることができ、見栄えをより向上させることができる。
【００５８】
また、各額縁状部材３０，３０，３０や中方立用額縁状部材３３の他片部３２，３２，３２，３５の幅寸法を、上述のように予め大きい寸法としておいたり、異なる壁厚に対応させて他片部３２，３２，３２，３５の幅寸法を異ならせたりすることで、汎用性を向上させることができる。つまり、壁厚が異なるような場合にも各縦枠２０，２３や中方立２６は共通のものを利用でき、汎用性を向上させることができる。
【００５９】
なお、本実施形態では、一枚の引戸３６を袖壁納めとした開口構造を例示しているが、このような態様に限られない。例えば、複数枚の引戸を納める袖壁を設けた開口構造としてもよい。この場合は、上枠１０や上レール１４、各縦枠２０，２３等を適宜、必要に応じて変形するようにすればよい。
または、複数枚の引戸を引き分け状に納める袖壁を開口部２の両側のそれぞれに設けた構造としてもよい。この場合は、上記同様、上枠１０や上レール１４、各縦枠２０，２３等を適宜、必要に応じて変形するようにすればよい。また、この場合には、上記した戸尻側縦枠２３を、戸先側縦枠２０に代えて、開口部２の両側に設けたような構造としてもよい。さらには、一枚若しくは複数枚の引戸３６を戸袋納めとした開口構造としてもよい。この場合は、戸袋口を形成する見込み方向両側の中方立のそれぞれの見込み方向反引戸対面側の端部側に上記同様の中方立用額縁状部材を設け、これらの一片部に戸袋を構成する壁パネルを表面略面一状に設け、上記同様に化粧シートを貼着した構造としてもよい。また、この場合は、両中方立の戸袋口側の端部に、隙間遮蔽部材やその取付溝等を設けないようにしてもよい。
【００６０】
また、このような中方立を設けて建具を袖壁納めや戸袋納めとした態様に代えて、出入開口８の両側を、両側の縦枠２０，２３によって区画する開口構造としてもよい。この場合は、例えば、建具を、複数枚の戸板を折り畳み自在に連結した折戸や、引き違い状に配設される複数枚の引戸等としてもよい。また、この場合は、上記した戸先側縦枠２０を、戸尻側縦枠２３に代えて、開口部２の両側に設けたような構造としてもよい。また、この場合は、これら両側の縦枠の見込み方向両側の端部側のそれぞれに額縁状部材を設けた構造としてもよい。または、クローゼット等の収納部の開口構造の場合には、両側の縦枠の見込み方向収納側の端部側には額縁状部材を設けずに、居室側の端部側のそれぞれに額縁状部材を設けた構造としてもよい。つまりは、少なくとも一方の縦枠の少なくとも一方の見込み方向端部に設けられた凹所に、額縁状部材の他片部を嵌め込み、この額縁状部材の一片部と壁パネルとを表面略面一状に壁下地面に固定した構造としてもよい。また、これら額縁状部材及び壁パネルの表面に一連に化粧シートを貼着した構造としてもよい。
【００６１】
また、本実施形態では、それぞれの一片部３１，３１，３１，３４を壁パネル４６，４６，４６，４８と表面略面一状とした額縁状部材３０，３０，３０，３３を設けた構造とした例を示しているが、このような態様に限られない。例えば、上記した各縦枠２０，２３や中方立２６を、従来同様のケーシング枠状のものや固定枠状のものとしてもよい。このような場合にも、出入開口８の上側の見栄えを向上させることができる。
また、本実施形態では、上枠１０の下面側に凹溝１３を設け、この凹溝１３に、上レール１４の上側部位を嵌め込んだ構造とした例を示しているが、このような態様に限られない。上枠１０の下面側に凹溝１３を設けずに、上枠１０の下面に上レール１４の上板部１５を当接させ、固定する態様としてもよい。このような場合にも、上記のように、上枠１０は、両側の縦枠２０，２３によって位置決めが容易になされるので、この上枠１０に対して上レール１４を比較的に容易に位置決めすることができる。
【００６２】
また、本実施形態では、建具（引戸）３６を、上レール１４に吊下支持させる構造とした例を示しているが、このような態様に限られない。例えば、建具（引戸）３６の下端に床上や下レール上を走行する戸車やキャスター等の転動体を設けた下荷重構造としてもよい。この場合は、建具（引戸）３６の上端部に上記のようなランナー部材３７に代えて、上レール１４にガイドされるピン状のガイド部等を設けた構造としてもよい。
【符号の説明】
【００６３】
１      引戸用枠（建具用枠）
２      開口部
４      内側面
５      壁下地面
８      出入開口
１０    上枠
１３    凹溝
１４    上レール
２０    戸先側縦枠（縦枠）
２１    前側凹所（凹所）
２２    後側凹所（凹所）
２３    戸尻側縦枠（縦枠）
２５    後側凹所（凹所）
２６    中方立
２７    前側凹所（凹所）
３０    額縁状部材
３１    一片部
３２    他片部
３３    中方立用額縁状部材
３４    一片部
３５    他片部
３６    引戸（建具）
３７    ランナー部材（上端部）
４０    桟材
４１    天井パネル
４２    隙間
４３    袖壁下地
４５    前面（反引戸納め側の袖壁下地面）
４６    壁パネル
４８    袖壁パネル
４９    化粧シート
【図１】
2020169556.tif 000003
【図２】
2020169556.tif 000004
【図３】
2020169556.tif 000005
【図４】
2020169556.tif 000006
【図５】
2020169556.tif 000007